(57)【要約】【課題】本動作開始前の第一次信号出力機能を確実に容易に達成することができる操作スイッチおよび該操作スイッチを備えた携帯端末を提供し、利用者の満足度を向上させることを目的とする。【解決手段】表面の中心以外の部位が押下操作されると該押下部位が沈み込んで全体が傾斜する回転操作体１４と、該回転操作体１４の裏面側で前記中心以外の部位に対応配置されて前記押下を検知する２段ドームスイッチ２４を有し、前記２段ドームスイッチ２４は、前記回転操作体１４の押下操作による前記押下部位の沈み込みを検知する第１検知部と、該沈み込みよりさらに深い沈み込みを検知する第２検知部とを備えた操作スイッチ。【選択図】図３
2011146358.tif 000002
【特許請求の範囲】
【請求項１】
表面の中心以外の部位が押下操作されると該押下部位が沈み込んで全体が傾斜すると共に回転可能に支持される操作体と、
該操作体の裏面側で前記中心以外の部位に対応配置されて前記押下を検知する複数のドームスイッチと、
前記操作体の回転を検知する回転スイッチとを有し、
前記ドームスイッチは、
前記操作体の押下操作による前記押下部位の沈み込みを検知する第１検知部と、該沈み込みよりさらに深い沈み込みを検知する第２検知部とを備えた
操作スイッチ。
【請求項２】
前記ドームスイッチを被覆する被覆シートと、
該被覆シートに前記ドームスイッチを接着する接着部とを備え、
前記接着部は、前記被覆シートにおける前記ドームスイッチの前記第１検知部との対向部分を避けて設けられた
請求項１記載の操作スイッチ。
【請求項３】
前記ドームスイッチが収納される孔が設けられたスペーサシートを備え、
該前記接着部は、前記スペーサシートの前記孔の周囲部と、前記ドームスイッチの頂点部と対向する部分に設けられた
請求項２記載の操作スイッチ。
【請求項４】
前記第１検知部と前記第２検知部にそれぞれ接触および離間する複数の接点を有して前記第１検知部の検知と前記第２検知部の検知とを伝達する回路を備え、
前記ドームスイッチは、
前記第１検知部が複数備えられるとともに、該第１検知部の少なくとも１つを対応する前記接点から離間させて支持する支持部が備えられ、
前記回路は、
前記第１検知部の複数が前記各接点に接触したときに第１検知部の検知を伝達する構成である
請求項１、２または３記載の操作スイッチ。
【請求項５】
前記回路は、
該第１検知部が前記接点に接触し、かつ前記第２検知部が前記接点に接触したときに第２検知部の検知を伝達する構成である
請求項４記載の操作スイッチ。
【請求項６】
前記操作体の裏面側で前記ドームスイッチとの間に、前記操作体を保持するホルダを備え、
該ホルダは、前記操作体の中心以外の部位が押下操作された際に該部位に対応配置された前記ドームスイッチを押下するように沈み込み、かつ、他のドームスイッチとの対応部位の前記ホルダが連動して沈み込んで検知されることを防止する連動防止手段を備えた
請求項１から５のいずれか１つに記載の操作スイッチ。
【請求項７】
前記ホルダは、前記操作体の押下操作の力で弾性変形する変形許容素材により形成され、
前記連動防止手段は、該変形許容素材により形成された前記ホルダのうち前記各ドームスイッチとの対応部位の間に存在する変形許容部により構成された
請求項６記載の操作スイッチ。
【請求項８】
前記ホルダは、前記ドームスイッチ間に押下操作の伝達を防止する溝孔が設けられ、
前記連動防止手段は、該溝孔により構成された
請求項６記載の操作スイッチ。
【請求項９】
前記ドームスイッチは、
ドーム形状に形成されたドーム形状部を有し、
前記第１検知部は、
前記ドーム形状部の側方に設けられて通常は回路から離間しており前記ドーム形状部が凸側から凹側へ軽く押下されると前記回路に接触して通電する側方接触部により形成され、
前記第２検知部は、
前記側方接触部が接触した状態で前記ドーム形状部の凸側から凹側へさらに強く押下されると前記ドーム形状部が凹凸逆の状態となって前記ドーム形状部の頂点裏側が回路に接触して通電する頂点裏側接触部により形成された
請求項１から８のいずれか１つに記載の操作スイッチ。
【請求項１０】
前記押下操作が衝撃によって瞬間押下された際に押下検知しないように排除する瞬間押下検知排除手段を備えた
請求項１から９のいずれか１つに記載の操作スイッチ。
【請求項１１】
前記瞬間押下検知排除手段は、前記第１検知部に設けられた接触部と回路との間に配置された介在体で構成され、
該介在体は、連続的な負荷に対して柔軟に変形し瞬間的な負荷に対して変形しない素材により構成された
請求項１０記載の操作スイッチ。
【請求項１２】
前記瞬間押下検知排除手段は、予め定めた所定時間以下の通電検知を排除する電気回路により構成した
請求項１０記載の操作スイッチ。
【請求項１３】
請求項１から１２のいずれか１つの操作スイッチと、
該操作スイッチにより操作入力された入力信号に従って制御動作を実行する制御手段と、
該制御手段の制御信号に従って情報出力を行う出力手段とを備えた
携帯端末。
【発明の詳細な説明】
【技術分野】
【０００１】
この発明は、例えば携帯電話機やＰＤＡ（Personal Digital Assistants）やデジタルカメラなどのＨＭＩ部（Human Machine Interface）に用いられるような操作スイッチおよび該操作スイッチを備えた携帯端末に関し、特に音楽、画像データの検索などに使われる多方向入力が可能な操作スイッチに関する。
【背景技術】
【０００２】
従来、回転を検出する回転検出機構と多方向入力を検出する多方向入力装置を有する２段階スイッチユニットが提案されている（特許文献１参照）。  
この２段階スイッチユニットは、回転検出機構の下部にある多方向入力装置が、上下左右とセンターの決定の５方向を検出する。その５方向の入力装置には、ドーム型の反転バネ（以降ドームスイッチと記す）が使われている。
【０００３】
さらに、この２段階スイッチユニットは、上部に回転式ＪＯＧを備え、下部にドームスイッチを備えて、その間またはドームスイッチ最下部にフレキやメンブレンを配置した構成となっている。
【０００４】
また、回転部と別の位置の押し部を使い、第一次信号と第二次信号の取得を省スペースで実現する２段スイッチユニットが提案されている（特許文献２参照）。この２段スイッチユニットは、第一次信号を予め出して、現在どこが触れられているかディスプレイに表示することができる。
【０００５】
しかし、この２段スイッチユニットは、本来の信号を出す以前に事前に機器を事前準備させることや、機器の操作性向上、小型化、待機時間を減らすといった機能については考慮されておらず、この機能を前記２段スイッチユニットで実現しようとすると、調整の難しさ、ばらつき、部品点数の増加などでコストが高くなるまたはユニットが大型化するといった問題があった。
【先行技術文献】
【特許文献】
【０００６】
【特許文献１】特開２００６−２８６３５３号公報
【特許文献２】特許第０３９９６１４４号公報
【発明の概要】
【発明が解決しようとする課題】
【０００７】
この発明は、上述の問題に鑑み、本動作開始前の第一次信号出力機能を確実に容易に達成することができる小型の操作スイッチおよび該小型の操作スイッチを備えた携帯端末を提供し、利用者の満足度を向上させることを目的とする。
【課題を解決するための手段】
【０００８】
この発明は、表面の中心以外の部位が押下操作されると該押下部位が沈み込んで全体が傾斜すると共に回転可能に支持される操作体と、該操作体の裏面側で前記中心以外の部位に対応配置されて前記押下を検知する複数のドームスイッチと、前記操作体の回転を検知する回転スイッチとを有し、前記ドームスイッチは、前記操作体の押下操作による前記押下部位の沈み込みを検知する第１検知部と、該沈み込みよりさらに深い沈み込みを検知する第２検知部とを備えた操作スイッチであることを特徴とする。
【０００９】
これにより、浅い沈み込みを検知する第１検知を確実に容易に達成することができる操作スイッチを提供することができ、利用者の満足度を向上させることができる。
【００１０】
この発明の態様として、前記ドームスイッチを被覆する被覆シートと、該被覆シートに前記ドームスイッチを接着する接着部とを備え、前記接着部は、前記被覆シートにおける前記ドームスイッチの前記第１検知部との対向部分を避けて設けることができる。  
これにより、ドームスイッチが意図しないところへ移動することや、ドームスイッチの姿勢が意図せず変化することを接着により防止できるとともに、第１検知部の検知動作を良好にすることができる。
【００１１】
またこの発明の態様として、前記ドームスイッチが収納される孔が設けられたスペーサシートを備え、該前記接着部は、前記スペーサシートの前記孔の周囲部と、前記ドームスイッチの頂点部と対向する部分に設けることができる。
【００１２】
これにより、ドームスイッチ部分に塵が入り込むことを防止することができる。特に、僅かなタッチを検知できる程度に第１検知部で検知する沈み込み量を微小にしても、塵の入り込みを防止することで検知精度を維持するとともに、信頼性を保持することができる。
【００１３】
またこの発明の態様として、前記第１検知部と前記第２検知部にそれぞれ接触および離間する複数の接点を有して前記第１検知部の検知と前記第２検知部の検知とを伝達する回路を備え、前記ドームスイッチは、前記第１検知部が複数備えられるとともに、該第１検知部の少なくとも１つを対応する前記接点から離間させて支持する支持部が備えられ、前記回路は、前記第１検知部の複数が前記各接点に接触したときに第１検知部の検知を伝達する構成とすることができる。
【００１４】
これにより、製造誤差等によって１つの第１検知部が接点に常時接触する状態になっても、残りの第１検知部が接点に対して接触および離間でき、第１検知を確実に検知することができる。
【００１５】
またこの発明の態様として、前記回路は、該第１検知部が前記接点に接触し、かつ前記第２検知部が前記接点に接触したときに第２検知部の検知を伝達する構成とすることができる。  
これにより、第１検知部に加えて第２検知部も確実に検知することができる。
【００１６】
またこの発明の態様として、前記操作体の裏面側で前記ドームスイッチとの間に、前記操作体を保持するホルダを備え、該ホルダは、前記操作体の中心以外の部位が押下操作された際に該部位に対応配置された前記ドームスイッチを押下するように沈み込み、かつ、他のドームスイッチとの対応部位の前記ホルダが連動して沈み込んで検知されることを防止する連動防止手段を備えることができる。
【００１７】
これにより、第１検知のための前記押下部位の沈み込み用のストロークが非常に短い構成であって敏感に押下検知できるようにしても、押下したい第１検知部と別の第１検知部が連動して押下検知してしまうことを防止できる。従って、軽い押下を敏感に検知し、かつ押下されていない部位での誤検知を防止することを両立させることができる。
【００１８】
またこの発明の態様として、前記ホルダは、前記操作体の押下操作の力で弾性変形する変形許容素材により形成され、前記連動防止手段は、該変形許容素材により形成された前記ホルダのうち前記各ドームスイッチとの対応部位の間に存在する変形許容部により構成されることができる。
【００１９】
これにより、素材の変形によって押下操作の力を別の第１検知部に及ぼさないようにできる。
【００２０】
またこの発明の態様として、前記ホルダは、前記ドームスイッチ間に押下操作の伝達を防止する溝孔が設けられ、前記連動防止手段は、該溝孔により構成されることができる。  
これにより、ホルダに伝わる押下操作の力を溝孔で分断することができ、押下操作の力を別の第１検知部に及ぼさないようにすることができる。
【００２１】
またこの発明の態様として、前記ドームスイッチは、ドーム形状に形成されたドーム形状部を有し、前記第１検知部は、前記ドーム形状部の側方に設けられて通常は回路から離間しており前記ドーム形状部が凸側から凹側へ軽く押下されると前記回路に接触して通電する側方接触部により形成され、前記第２検知部は、前記側方接触部が接触した状態で前記ドーム形状部の凸側から凹側へさらに強く押下されると前記ドーム形状部が凹凸逆の状態となって前記ドーム形状部の頂点裏側が回路に接触して通電する頂点裏側接触部により形成されることができる。  
これにより、敏感に検知する第１検知と、しっかり押下されたことを検知する第２検知を簡単な構成により低コストで実現することができる。
【００２２】
またこの発明の態様として、前記押下操作が意図しない衝撃によって瞬間押下された際に押下検知しないように排除する瞬間押下検知排除手段を備えることができる。  
これにより、利用者の押下とは考えられない瞬間的な押下を検知対象から排除することができる。従って、この操作スイッチが設けられた携帯機器が利用者の意図しない衝撃によって意図せず動作してしまうことを防止できる。
【００２３】
またこの発明の態様として、前記瞬間押下検知排除手段は、前記第１検知部に設けられた接触部と回路との間に配置された介在体で構成され、該介在体は、連続的な負荷に対して柔軟に変形し瞬間的な負荷に対して変形しない素材により構成されることができる。
【００２４】
前記連続的な負荷に対して柔軟に変形し瞬間的な負荷に対して変形しない素材は、例えば低反発発泡ウレタンや、通常やわらかく衝撃を受けると硬化する「ｄ３ｏ」と呼ばれる素材で構成するなど、衝撃検知を防止しつつ利用者の押下を検知できるようにする素材で構成することができる。  
この態様により、衝撃を利用者の押下操作と誤検知することを確実に防止できる。
【００２５】
またこの発明の態様として、前記瞬間押下検知排除手段は、予め定めた所定時間以下の通電検知を排除する電気回路により構成することができる。  
前記電気回路は、１μｓなどの短時間の検知を排除できるローパスフィルタで構成するなど、衝撃による信号を排除できる回路により構成することができる。  
この態様により、衝撃を利用者の押下操作と誤検知することを確実に防止できる。
【００２６】
またこの発明は、前記操作スイッチと、該操作スイッチにより操作入力された入力信号に従って制御動作を実行する制御手段と、該制御手段の制御信号に従って情報出力を行う出力手段とを備えた携帯端末とすることができる。
【００２７】
前記制御手段は、ＣＰＵなど適宜の制御処理を実行できる装置により構成することができる。  
前記出力手段は、画像表示を行う表示装置とするなど、出力を行う適宜の装置により構成することができる。  
前記携帯端末は、携帯電話機やＰＤＡ（Personal Digital Assistants）やデジタルカメラなど、携帯可能な適宜の端末により構成することができる。
【００２８】
この発明により、押下の程度によって２段階に検知することができる検知スイッチを利用した携帯端末を提供できる。従って、例えば第１検知で準備動作を行って第２検知で指示動作を実行する携帯端末を提供することができる。
【発明の効果】
【００２９】
この発明により、第１検知を確実に容易に達成することができる操作スイッチおよび携帯端末を提供することができ、利用者の満足度を向上させることができる。
【図面の簡単な説明】
【００３０】
【図１】操作スイッチを備えたデジタルカメラの正面図。
【図２】操作スイッチの外観斜視図。
【図３】操作スイッチを上方から見た分解斜視図。
【図４】操作スイッチを下方から見た分解斜視図。
【図５】操作スイッチの斜視断面図。
【図６】２段ドームスイッチの説明図。
【図７】操作スイッチを備えたデジタルカメラの構成を示すブロック図。
【図８】ホルダとドームスイッチの位置関係を示す説明図。
【図９】操作側ユニットと検知側ユニットの斜視図。
【図１０】実施例２のホルダを示す正面図。
【図１１】実施例３のホルダを示す正面図。
【図１２】実施例４の操作ボタンを上方から見た分解斜視図。
【図１３】実施例４の操作ボタンを下方から見た分解斜視図。
【図１４】実施例４の操作ボタンの斜視図。
【図１５】実施例５のホルダの正面図。
【図１６】実施例６のホルダの正面図。
【図１７】実施例７の２段ドームスイッチと周辺固定接点の説明図。
【図１８】実施例８の操作スイッチを下方から見た分解斜視図
【図１９】接着カバーフィルムおよびスペーサの拡大分解斜視図
【図２０】ドームスイッチ周辺の接着構造の説明図。
【図２１】実施例９のドームスイッチ周辺の接着構造の説明図。
【図２２】実施例１０の基板と回路構成の説明図。
【図２３】実施例１１のドームスイッチと回路構成の説明図。
【発明を実施するための形態】
【００３１】
この発明の一実施形態を以下図面と共に説明する。  
【実施例１】
【００３２】
図１は操作スイッチ１０を備えたデジタルカメラ１の正面図である。デジタルカメラ１は、上面右側に撮影開始用のシャッタボタン３が設けられており、図示省略する背面にカメラレンズが設けられている。
【００３３】
デジタルカメラ１正面には、表示器２が設けられており、その右横に隣接して操作スイッチ１０が設けられている。この操作スイッチ１０は、デジタルカメラ１の撮影条件等の設定用スイッチ、及び保存された写真の選択用スイッチなどに用いられる。操作スイッチ１０の上方には、メニュー画面などを表示器２に表示するためのメニューボタン４が設けられ、操作スイッチ１０の下方には、撮影画像を表示するための再生ボタン５が設けられている。
【００３４】
次に、操作スイッチ１０の構成について説明する。図２は操作スイッチ１０の外観斜視図を示し、図３は操作スイッチ１０を上方から見た分解斜視図を示し、図４は操作スイッチ１０を下方から見た分解斜視図を示し、図５は操作スイッチ１０の斜視断面図を示し、図６は２段ドームスイッチ２４の説明図を示す。
【００３５】
前記操作スイッチ１０は、図３に示すように、上方から回転操作体１４と、エンコーダ用可動接点板１５と、導電片１６，１７，１８と、ホルダ１９と、ホルダ連結板２０と、押子２１と、シート２２と、ドームスイッチ２３，２４と、基板２５と、ベース２６とを備えて構成される。
【００３６】
回転操作体１４は合成樹脂性の材料で円盤状に形成され、その円盤状の中央部軸方向に押子挿通孔２７が貫通されており、環状のキャップ形状となっている。この回転操作体１４の上面には、径方向に細長く延びる多数の滑り止め突起２８が等分配設されている。また、回転操作体１４の下面には、環状の平面部と、下向きに突出する内周フランジ２９と外周フランジ３０とで囲まれる環状凹部３１が形成されている。この環状凹部３１の内面には、複数の円弧形帯状の突部３２が周方向に等分して一定間隔毎に突設されている。また、その内周側に複数の小さな軸部３３が周方向に等分して突設されている。
【００３７】
さらに、内周フランジ２９の外周面には、軸方向に沿って凹状に形成された凹溝３４が周方向に等分して備えられている。また、押子挿通孔２７に相当する内周フランジ２９の内周面には、回転操作感触用の凹凸面３５が形成されている。この凹凸面３５は周方向に１２個の凹凸が交互に形成されており、この凹凸がエンコーダの位相信号と一致するように構成されている。さらに、内周フランジ２９の下端には、ホルダ１９を挟んでホルダ連結板２０に連結するための複数の係止突起３６が等分して突設されている。ホルダ１９を挟んでホルダ連結板２０に取り付けられた回転操作体１４は、ホルダ１９に対して自在に回転することができる。
【００３８】
前記回転操作体１４の内面に形成される環状凹部３１には、エンコーダ用可動接点板１５が嵌合して取り付けられ、内周フランジ２９の下端には、ホルダ連結板２０が嵌合して取り付けられる。
【００３９】
エンコーダ用可動接点板１５は、前記環状凹部３１に嵌合可能な大きさの環状の導電金属板により形成されている。エンコーダ用可動接点板１５の平面周方向には、エンコーダ信号出力用に、前記円弧形帯状の突部３２と対応させて嵌合可能な略同形状の開口部３７が一定間隔毎に開口されている。同様に、該開口部３７の内周側には、前記軸部３３と対応させて該軸部３３と略同形状の軸孔３８が開口されている。この軸孔３８は、前記軸部３３に嵌合する。さらに、エンコーダ用可動接点板１５の内周面には、前記凹溝３４と対応させて該凹溝３４と略同形状の内周凸部３９が形成されている。この内周凸部３９は、前記凹溝３４に嵌合する。
【００４０】
これにより、エンコーダ用可動接点板１５に形成した開口部３７と軸孔３８と内周凸部３９とを、回転操作体１４の下面側に形成されている突部３２と軸部３３と凹溝３４とにそれぞれ対応させて押込むように嵌合させて一体化することができる。そして、図５の斜視断面図に示すように、回転操作体１４の下面側にエンコーダ用可動接点板１５が嵌合して固定される。
【００４１】
この場合、回転操作体１４の下面に取り付けられたエンコーダ用可動接点板１５の下面に露出する平面部が摺接面４０（図４参照）となり、ここに後述する上接触子１６ａ，１７ａ，１８ａ（図３参照）が接触する。このため、摺接面４０は平面的で凹凸がないように形成されている。つまり、エンコーダ用可動接点板１５の摺接面４０と、開口部３７を貫通する突部３２の先端露出面とが同一平面になるように構成されている。これにより、摺接面４０に対する後述する上接触子１６ａ，１７ａ，１８ａの安定した接触性を確保している。
【００４２】
導電片１６，１７，１８は、導電金属板により形成されている。  
このうち、共通導電片１６は、基端部に例えば３個の取付孔１６ｃを有している。そして、該基端部から自由端側にかけて二股に分かれ、そのうちの一方を、弾性力を持たせて上向きに延出させた上接触子１６ａとし、他方を、弾性力を持たせて下向きに延出させた下接触子１６ｂとしている。
【００４３】
第１導電片１７は第１信号検出用として設けられ、前記共通導電片１６と同様に基端部に取付孔１７ｃを有している。基端部から二股に分かれた自由端側の一方を、弾性力を持たせて上向きに延出させた上接触子１７ａとし、他方を、弾性力を持たせて下向きに延出させた下接触子１７ｂとしている。
【００４４】
第２導電片１８は第２信号検出用として設けられ、前記共通導電片１６と同様に基端部に取付孔１８ｃを有している。基端部から二股に分かれた自由端側の一方を、弾性力を持たせて上向きに延出させた上接触子１８ａとし、他方を、弾性力を持たせて下向きに延出させた下接触子１８ｂとしている。
【００４５】
そして、これらの導電片１６，１７，１８の上接触子１６ａ，１７ａ，１８ａが、一定の弾性力を持って上述した摺接面４０に摺接する。また、各導電片１６，１７，１８の自由端側は、内周側と外周側とに並列させて長く延出させている。これら３個の導電片１６，１７，１８は、後述するホルダ１９に保持されて周方向に３等分して配設される。
【００４６】
前記摺接面４０の外周側は常に導通して一定の信号が得られる共通接触子側となり、内周側は間欠的な信号が得られるパルス信号出力側となる。このため、共通導電片１６は外周側が上接触子１６ａになり、該上接触子１６ａが摺接面４０の回転軌跡上で常に導通する共通接触子になる。また、第１導電片１７と第２導電片１８は内周側が上接触子１７ａ，１８ａになり、該上接触子１７ａ，１８ａが摺接面４０の回転軌跡上で各開口部３７と間欠的に接触し、ロータリエンコーダとしてのパルス信号を出力する接触子になる。
【００４７】
また、導電片１７，１８は、上接触子１７ａ，１８ａの自由端側をさらに二股に分けている。これにより、分割した接触子によって安定した弾性作用が得られ、接点に接触する場合に滑らかな接触作用が得られる。
【００４８】
ホルダ１９は、ＰＯＭ樹脂（ＰＯＭ：ポリオキシメチレン）、ＡＢＳ樹脂（ＡＢＳ：acrylonitrile butadiene styrene）、またはこれらの混合樹脂などの軟性材料により、前記回転操作体１４の環状凹部３１を平面的に閉鎖可能な大きさの環状体に形成されている。このホルダ１９は、後述するベース２６に非回転に支持されている。このホルダ１９の上面には、前記各導電片１６，１７，１８を嵌合して固定するための３本の突起４２が周方向に３等分して突設されている。これらの突起４２に、前記各導電片１６，１７，１８の各取付孔１６ｃ，１７ｃ，１８ｃを嵌合させることで、ホルダ１９の上面に各導電片１６，１７，１８が取り付けられる。これにより、上接触子１６ａ，１７ａ，１８ａは接触に適した斜め上向きに延出した状態に取り付けられる。また、ホルダ１９の上面には、周方向に３等分して開口された円弧形帯状の下接触子挿通孔４３，４４，４５が開口されている。該下接触子挿通孔４３，４４，４５には、前記下接触子１６ｂ，１７ｂ，１８ｂを下向きに挿通させる。これにより、接触子１６ｂ，１７ｂ，１８ｂがホルダ１９の下面より接触に適した斜め下向きに延出する。
【００４９】
ホルダ１９の上面外周側には、環状平面部４６（図３参照）が形成されている。この環状平面部４６は、回転操作体１４の外周フランジ３０の下端と対応する。さらに、環状平面部４６の内周側には、環状に突出する環状縁部４７が形成されている。この環状縁部４７は、回転操作体１４の外周フランジ３０の内周面と対応する。同様にホルダ１９の上面内周側には、ホルダ内周フランジ４８が突設されている。このホルダ内周フランジ４８は、回転操作体１４の内周フランジ２９の外周面に接触対応する。これにより、回転操作体１４とホルダ１９とが安定して対応する。
【００５０】
また、ホルダ１９は、回転操作体１４の下面と該ホルダ１９の上面との対向面間に形成される環状凹部３１（図４参照）の開放面を平面的に閉鎖するものである。これにより、上述した上接触子１６ａ，１７ａ，１８ａが摺接面４０に弾性変位して安定して接触するための閉鎖空間を確保している。この閉鎖空間により、環状凹部３１に、円滑な接触性を維持させるために注入されているグリスが漏れることを防止している。さらに、この環状凹部３１は、下方のベース２６側と押下ストローク長さ以上離れた上方の空間位置に形成されているため、この押下ストロークから塵が侵入し難くなり、防塵効果の高い接点構造となる。
【００５１】
また、ホルダ１９の外周面には、外向きに突設された４つの保持片４９が周方向に９０度毎に配置されている。該保持片４９は、後述するベース２６に保持される。さらに、ホルダ１９の下面には、押下突起５０が周方向に９０度毎に４つ突設されている。この押下突起５０は、４方の押下位置に対応して設けられている。さらに、ホルダ１９の下面内周側には、後述するホルダ連結板２０を収納しガイドする環状収納凹部５１が形成されている。そして、該ホルダ１９は、各導電片１６，１７，１８を保持した状態で、後述するホルダ連結板２０により回転操作体１４に連結される。
【００５２】
ホルダ連結板２０（図４参照）は、前記ホルダ１９の環状収納凹部５１に収納可能な大きさの金属製の環状円板に形成されている。その環状円板の周方向には、前記回転操作体１４の各係止突起３６と対応する位置に複数開口して係止孔５２が形成されている。この係止孔５２に、回転操作体１４の係止突起３６が嵌合して係止される。このホルダ連結板２０の嵌合係止作用により、回転操作体１４、ホルダ１９、ホルダ連結板２０が、この順に積層状態に連結される。
【００５３】
また、回転操作体１４の中央部には、操作者が指先で回転操作体１４を回転操作したときに、その回転操作感触が明瞭に得られる感触機構が備えられている。この感触機構は、回転操作体１４の中央部に開口されている押子挿通孔２７と、ここに挿通される後述する押子２１とから構成される。
【００５４】
上述の押子２１は、合成樹脂性の材料により円柱状に形成され、回転操作体１４の押子挿通孔２７に挿通される。その円柱状の軸方向と直交する水平方向には、横孔５３が形成されている。この横孔５３には、押子２１の内部から外向きに付勢するコイルスプリング５４と、該コイルスプリング５４の両端に対設される球体５５とが介在される。
【００５５】
これにより、押子２１を回転操作体１４の押子挿通孔２７に挿通させて取り付けたとき、コイルスプリング５４の両端に位置する球体５５が押子挿通孔２７の回転操作感触用の凹凸面３５と対応し、該球体５５が回転操作体１４に対して一定の付勢力を付与する。この付勢力により、回転操作体１４を回して押下操作位置に回転操作する際に、その都度、球体５５が凹凸面３５に沿って進退し、付勢力が変化するため回転操作体１４の回転抵抗を異ならせる。これにより、明瞭なクリック感が得られる。またこの場合、横孔５３の内部にコイルスプリング５４及び球体５５を介在させることができるため、押子２１の配設スペースを有効に利用することができる。
【００５６】
さらに、横孔５３の貫通位置に対し、周方向に９０度異なる押子２１の外周面両側には、該押子２１の下端及び外周面を開放面とする昇降ガイド用の凹部５６が軸方向に形成されている。この凹部５６が、後述するベース２６の押子ガイド片７４により押下方向にガイドされる。また、下面中央には、押下位置に対応して押下突起５７が突設されており、該押下突起５７が後述するドームスイッチユニット５８の中央スイッチＳ１（図３参照）を押下する。
【００５７】
前記ホルダ１９の下方には押下ストローク空間１９Ｂ（図５参照）を隔ててドームスイッチユニット５８が対設されている。
【００５８】
前記ドームスイッチユニット５８は、シート２２、ドームスイッチ２３，２４、基板２５をこの順に積層して一体化したものである。下層の基板２５をベース２６の上面に貼り付けることで、ベース２６の上面にドームスイッチユニット５８が搭載される。
【００５９】
基板２５は、プリント配線基板であり、中央部に中央固定接点６０（６０ａ，６０ｂ）を有し、その周辺の４方に周辺固定接点６１（６１ａ，６１ｂ，６１ｃ）を有している。さらに、周辺固定接点６１と重ならない周方向には、共通固定接点５９ａと第１固定接点５９ｂと第２固定接点５９ｃとが３等分して備えられている。
【００６０】
そして、１個の中央固定接点６０に対応させて１段ドームスイッチ２３を搭載し、４個の周辺固定接点６１に対応させて２段ドームスイッチ２４を搭載し、これらの上面をシート２２で覆って基板２５の定位置にドームスイッチ２３，２４が動かないように貼り付けている。これにより、押子２１が押下される押下位置に対応して設置される中央スイッチＳ１と、回転操作体１４が押下される各押下位置に対応して設置される４個の周辺スイッチＳ２が構成される。
【００６１】
２段ドームスイッチ２４は、図６（Ａ）の正面図に示すように、略円形の外周４箇所を切り欠いた形状を有しており、外周に２つのコモン接点２４ｂと２つの第１接点２４ｃが設けられ、中央に第２接点２４ａが設けられている。２つのコモン接点２４ｂは、中央に第２接点２４ａを挟んで対称に対向配置されている。２つの第１接点２４ｃは、中央に第２接点２４ａを挟んで対称に対向配置されている。この２つのコモン接点２４ｂと２つの第１接点２４ｃは、９０度ずつ交互に配置されている。２段ドームスイッチ２４の第２接点２４ａが設けられている中央の湾曲部分は、反転バネとして機能する。このため、２段ドームスイッチ２４の頂点が所定ストローク押下されると、その周囲の湾曲部分が反転バネとなって凹凸入れ替わり、第２接点２４ａがその下の第２接点６１ａ（図３参照）に接触する。
【００６２】
詳述すると、図６（Ａ）のＡ−Ａ断面を示す図６（Ｂ）に示すように、２段ドームスイッチ２４は、中央の第２接点２４ａが頂点となり、２つのコモン接点２４ｂが下端に位置して常時接点６１ｂ（図３参照）に常時接触する。
【００６３】
そして、押下操作されていない通常状態のとき、図６（Ｂ）のＢ−Ｂ部分の拡大図を示す図６（Ｃ）に示すように、２つの第１接点２４ｃは、第１接点６１ｃと僅かな隙間（クリアランス）を空けて離間している。
【００６４】
また、中央の第２接点２４ａは、押下操作されていない通常状態のとき、第２接点６１ａと十分な隙間（クリアランス）を空けて離間している。
【００６５】
図３に示す１段ドームスイッチ２３は、中央の接点２３ａが頂点となり、２つのコモン接点２３ｂが下端に位置して常時接点６０ｂに常時接触する。接点２３ａは、押下操作されていない通常状態のとき、接点６０ａから十分な隙間（クリアランス）を空けて離間している。
【００６６】
ベース２６は、回転操作体１４より少し大きい金属円板により形成されている。ベース２６の中央部には、前記押子２１の両側凹部５６に係合可能な押子ガイド片７４が底面より起立突設されている。押子ガイド片７４と対応する上方の基板２５及びシート２２との対応位置には、それぞれ貫通する位置に退避口６４，６５が設けられ、押子ガイド片７４の起立突設を妨げないようにしている。さらに、共通固定接点５９ａと第１固定接点５９ｂと第２固定接点５９ｃとに対しても、これらが上面に露出するように、シート２２に退避口６６が設けられ、下接触子１６ｂ，１７ｂ，１８ｂとの接触を可能にしている。
【００６７】
さらに、該ベース２６の外周側には、その４方の底面より逆凹形状の昇降ガイド片７７が起立突設されている。この昇降ガイド片７７は、逆凹形内に上述した前記ホルダ１９の保持片４９を係合させている。これにより、押下ストローク長さを昇降することができる。この４方の昇降ガイド片７７に保持片４９がそれぞれ係合保持されることにより、ホルダ１９に保持される最上部の回転操作体１４は、押下時に押下された方向に対応して傾動する。従って、回転操作体１４は、回転操作体１４全体としては僅かに傾動することで、傾動により一定の押下ストローク量だけ沈み込んだ部分が周辺スイッチＳ２を押下し、スイッチとして機能する。
【００６８】
図７は、このように構成された操作スイッチ１０を備えたデジタルカメラ１の構成を示すブロック図である。
【００６９】
デジタルカメラ１は、制御部８２に接続して、ローパスフィルタ８１、操作ボタン３，４，５、電源部８６、表示器２、フラッシュ８３、カメラ部８４、および記憶部８５が設けられている。
【００７０】
ローパスフィルタ８１には、操作スイッチ１０が接続されている。このローパスフィルタ８１は、操作スイッチ１０の１段ドームスイッチ２３や２段ドームスイッチ２４から瞬間的な通電（例えば１μｓ以下）による信号を受け取った場合に、この信号をカットして検知しないようにし、それ以上長い時間の通電による信号のみを制御部８２に伝達する。これにより、衝突等によって操作スイッチ１０が瞬間的に押下操作された場合に誤動作しないようにしている。
【００７１】
操作ボタン３，４，５（図１に示したシャッタボタン３、メニューボタン４、再生ボタン５）は、ユーザに押下操作された押下信号を制御部８２に伝達する。  
電源部８６は、各部に電力を供給する。
【００７２】
表示器２は、制御部８２の制御信号に従って画像を表示する。この画像には、カメラ部８４で撮影している画像や、撮影して記憶部８５に保存した画像、あるいはメニュー画像などとすることができる。
【００７３】
フラッシュ８３は、制御部８２の制御信号に従ってストロボ発光する。  
カメラ部８４は、制御部８２の制御信号に従って撮影し、撮影画像を制御部８２に伝達する。
【００７４】
記憶部８５は、制御部８２の制御信号に従ってデータの読み書きを行う。このデータには、カメラ部８４で撮影された撮影画像データ、およびメニュー画面などを表示するプログラムなど、適宜のデータとすることができる。
【００７５】
この構成により、デジタルカメラ１は、操作スイッチ１０や操作ボタン３，４，５の操作に従って動作し、フラッシュ８３による照明、カメラ部８４による撮影、表示器２への撮影画像の表示など、撮影に必要な動作を実行することができる。
【００７６】
次に、デジタルカメラ１を使用する利用者によって操作スイッチ１０が操作された際の動作を説明する。  
図８は、ホルダ１９とドームスイッチ２３，２４の位置関係を示す説明図であり、図９は、操作スイッチ１０を操作側ユニットＵ１と検知側ユニットＵ２とに分離した状態の斜視図である。
【００７７】
ここで、操作側ユニットＵ１は、回転操作体１４、導電片１６，１７，１８（図３参照）、ホルダ１９、および押子２１により構成されている。検知側ユニットＵ２は、ドームスイッチユニット５８、およびベース２６により構成されている。
【００７８】
操作スイッチ１０が押下待機している状態では、図３，４に示したドームスイッチユニット５８に備えられている５個のドームスイッチ２３，２４が半円形のドーム型を有し、その中高部が各押下突起５０，５７の下端と対向している。これらのドームスイッチ２３，２４は上方からの押下力に対応して上下方向に弾性変位し、押下力を受けたときに凹み、押下力が開放されると復帰し、元の高さ位置にもどるとドーム型になって、次の押下に備えられる。また、ドームスイッチ２３，２４と対応する基板２５の固定接点は、押下されていないため非導通で検知信号は出力されない。
【００７９】
図９に矢印Ｙ３で示すように押子２１が押下操作された場合には、その押下力を受けて押子２１が押下ストローク分だけ沈み込み、中央の１段ドームスイッチ２３を押す。そして、該一段ドームスイッチ２３が、その押下方向の中央固定接点６０に平面的に接触して導通させ、中央固定接点６０からの中央押下信号を出力させる。そして、押子２１の押下力を開放すると、１段ドームスイッチ２３が弾性復帰し、押下突起５７を介して押子２１を上向きに押し上げて元の位置に戻す。
【００８０】
また、図９に矢印Ｙ１（Ｙ１ａ〜Ｙ１ｄ）で示すように回転操作体１４が押下操作された場合には、その押下操作された特定位置（Ｙ１ａ〜Ｙ１ｄ）での押下力を受ける。矢印Ｙ１（Ｙ１ａ〜Ｙ１ｄ）に示すように１段階押下された状態になると、回転操作体１４は押下突起５０（図８）を介して特定位置に対応する２段ドームスイッチ２４を押し、該２段ドームスイッチ２４の第１接点２４ｃが、その押下方向の第１接点６１ｃに平面的に接触して導通させ、該第１接点６１ｃからの第１信号を出力させる。
【００８１】
ここで、押下前の第１接点２４ｃと第１接点６１ｃの隙間が非常に小さいため、回転操作体１４をかるく押下しただけで第１接点２４ｃと第１接点６１ｃが接触、導通し、第１信号を出力する。
【００８２】
また、ホルダ１９が軟性材料により形成されているため、回転操作体１４の一部が押下される際にホルダ１９が湾曲し変形する。このため、押下された部分の押下突起５０がしっかりと下方へ沈み込みながらも、その９０度となりにある他の押下突起５０がつられて沈み込むことを防止できる。
【００８３】
すなわち、各押下突起５０の間にはホルダ１９を形成する軟性材料の領域が存在しているため、この領域が変形して隣の押下突起５０まで押下力が伝わりにくいようにできる。
【００８４】
このようにして検知した第１信号は、上述したローパスフィルタ８１越しに制御部８２へ伝達されるため、衝突当による瞬間的な信号であれば動作信号とならないようにカットされる。
【００８５】
第１信号を受けた制御部８２は、準備動作を実行する。この準備動作は、例えば表示器２の表示を消去した待機状態から、表示器２にカメラ部８４からの撮影画像をリアルタイム表示する撮影待ち準備状態に移行する、あるいは表示器２にメニュー画面を表示して該メニュー画面のうち押下操作された第１接点２４ｃに対応するコマンド部分を点滅等によって解るように表示するなど、適宜の動作とすることができる。
【００８６】
図９の矢印Ｙ２（Ｙ２ａ〜Ｙ２ｄ）に示すように、回転操作体１４がさらに強く押下されると、第１接点２４ｃが第１接点６１ｃに接触した状態のまま、２段ドームスイッチ２４の頂点となる第２接点２４ａ部分が下方へ押され、この第２接点２４ａが凹凸逆になり、第２接点２４ａが第２接点６１ａに接触、導通し、第２信号を出力する。
【００８７】
この第２信号は、上述したローパスフィルタ８１越しに制御部８２へ伝達されるため、衝突当による瞬間的な信号であれば動作信号とならないようにカットされる。
【００８８】
第２信号を受けた制御部８２は、指示された動作を実行する。この指示された動作は、例えば表示器２に表示している再生画像を順次切り替える、フラッシュの有無やホワイトバランスなどの撮影モードを切り替える、時刻設定などの設定操作を行うなど、適宜の動作とすることができる。
【００８９】
その後、利用者による回転操作体１４の押下力が開放されると、２段ドームスイッチ２４が弾性復帰し、押下突起５０を介してホルダ１９を上向きに押し上げる。これにより、回転操作体１４は元の位置に戻る。
【００９０】
また、回転操作体１４を回転操作した場合、この回転操作体１４に組み込まれたエンコーダ用可動接点板１５が同方向に回転し、このエンコーダ用可動接点板１５の摺接面４０に、ホルダ１９に固定されている非回転の上接触子１６ａ，１７ａ，１８ａが接触してロータリエンコーダとしての位相信号を検出する。また、この摺接面４０は同一平面に形成してあるため、摺接面４０に対する上接触子１６ａ，１７ａ，１８ａの安定した接触性を確保している。
【００９１】
一方、共通固定接点５９ａと第１固定接点５９ｂと第２固定接点５９ｃを備えた基板２５に対しては、下接触子１６ｂ，１７ｂ，１８ｂが何れも非回転で常に接触した状態を維持する。これにより、上接触子１６ａ，１７ａ，１８ａから得られる信号とにより回転操作体１４が回転操作された位置、回転方向、回転速度の信号が検出される。また、回転操作体１４が回転操作されたときは、押子２１に設けられたコイルスプリング５４の両端に位置する球体５５が押子挿通孔２７の回転操作感触用の凹凸面３５と対応し、回転操作体１４に対して一定の付勢力を付与して回転抵抗を与えるため、回転操作体１４を３０度ずつ回す度にクリック感が得られ、回動操作したことが操作者の手に明瞭に伝達される。またこの際、前述した感触機構の回転操作感触部分と、接点部分とは隔離されているため、互いの消耗粉により接点部分が悪影響を受けるようなことはない。
【００９２】
以上の構成および動作により、本動作開始前の第１信号の出力機能を確実に容易に達成することができる操作スイッチ１０を提供することができ、利用者の満足度を向上させることができる。
【００９３】
ホルダ１９は、軟性素材により形成されているため、第１信号の検知のためのストロークとなる第１接点２４ｃと第１接点６１ｃとのクリアランスを非常に小さくして敏感に押下検知できるようにしても、押下したい第１接点２４ｃと別の第１接点２４ｃが連動して押下検知してしまうことを防止できる。従って、軽い押下を敏感に検知し、かつ押下されていない部位での誤検知を防止することを両立させることができる。
【００９４】
また、５方向の入力装置となるドームスイッチ２３，２４のうち、センターを除く４方向の２段ドームスイッチ２４を、状来の単純な丸型や小判（楕円）型ではなく、第１接点２４ｃとコモン接点２４ｂを有する特殊な形状にしたため、従来のようにフレキやメンブレンのスイッチ部を介在させる必要なく、安価で、信頼性の高い、第１信号の出力を実現することができる。
【００９５】
また、１つの２段ドームスイッチ２４により押下の強さの違う第１信号と第２信号を検知できるため、押下操作時の作用点を２段ドームスイッチ２４の頂点と押下突起５０との接触部のみの１箇所にでき、安定した動作を容易に得ることができる。
【００９６】
また、２段ドームスイッチ２４は、第１信号を出力するまでは、押下操作に抵抗する弾性力が２箇所のコモン接点２４ｂに由来するもののみであるため、軽い押下力で容易にスイッチＯＮすることができる。そして、第１信号の出力後に第２信号を出力するまでは、押下操作に抵抗する弾性力が、２つのコモン接点２４ｂと２つの第１接点２４ｃに由来する状態となって強くなる。このため、しっかり押下しないとスイッチＯＮにならず、利用者は第１信号に要する押下力と第２信号に要する押下力の差を明瞭に認識し使い分けることができる。
【００９７】
また、ローパスフィルタ８１により衝撃によるスイッチＯＮを排除する構成にしたため、意図しない誤動作を防止することができる。特に、第１信号が検知された際に準備動作を実行する構成であっても、衝撃であれば準備動作をしないということができるため、デジタルカメラ１の電源部８６のバッテリーが消耗してしまうことを防止できる。
【００９８】
また、操作スイッチ１０は、中央方向の１段ドームスイッチ２３と４方向の２段ドームスイッチ２４とにより５方向スイッチとして機能し、またエンコーダ用可動接点板１５と導電片１６，１７，１８により回転スイッチとして機能するため、回転式ＪＯＧ／多方向入力複合スイッチとして機能することができる。
【００９９】
また、回転式ＪＯＧ／多方向入力複合スイッチとして機能するために操作スイッチ１０が平面視円形に構成されており、多方向入力の位置（２段ドームスイッチ２４の位置）が操作スイッチ１０の形状からはわからないようになっていて、どの回転位置でも多方向入力できる構成になっているが、利用者は入力したい方向を容易に正しく入力できる。すなわち、操作スイッチ１０の形状から押下すべき位置が正確には解らず少しずれた位置を利用者が押下しても、敏感に反応する２段ドームスイッチ２４は、利用者の意図した方向（位置）のものが最初に押下検知でき、これによって利用者の意図した方向を容易に正しく入力することができる。
【実施例２】
【０１００】
次に、実施例１で説明したホルダ１９の変形例について説明する。  
図１０は、実施例２のホルダ１９Ａを示す正面図である。  
図示するように、ホルダ１９Ａには、９０度毎に均等配置された押下突起５０のそれぞれの間に、溝孔４１ａが設けられている。この溝孔４１ａは、押下突起５０の側方位置から半径方向外側へ伸びて外周へ突き抜ける形状に形成されている。ホルダ１９Ａは、実施例１と異なり、合成樹脂性の材料で形成されている。その他の構成は、実施例１と同一であるので、その詳細な説明を省略する。
【０１０１】
このように構成した場合も、実施例１と同一の効果を得ることができる。ホルダ１９Ａは実施例１よりも硬い材料で構成されているが、押下操作されて１つの押下突起５０が沈み込む際の力は、溝孔４１ａにより分断され、隣の押下突起５０が連動して沈み込むことを防止できる。
【実施例３】
【０１０２】
また実施例３として、実施例１のホルダ１９を図１１の正面図に示すホルダ１９Ｂとしてもよい。  
このホルダ１９Ｂも、実施例２と同様、合成樹脂性の材料で形成され、９０度毎に均等配置された押下突起５０のそれぞれの間に、溝孔４１ｂが設けられている。この溝孔４１ｂは、押下突起５０の側方位置から外周へ向かって半径方向へ伸びているが、外周までは突き抜けない形状に形成されている。  
この場合も実施例２と同一の効果が得られる。
【実施例４】
【０１０３】
次に、実施例４で説明した操作ボタン１０と回転検知の方法を異ならせた実施例４について説明する。
【０１０４】
図１２は、実施例４の操作ボタン１１０を上方から見た分解斜視図を示し、図１３は操作ボタン１１０を下方から見た分解斜視図を示し、図１４は操作ボタン１１０の斜視図を示す。
【０１０５】
この実施例４の操作ボタン１１０は、非接触式で回転検知を行うものであり、カバー体１９１と、回転操作体１１４と、磁性回転体１９２と、ホルダ連結板１２０と、摺動リング１９４と、ホルダ１１９と、押子１２１と、シート１２２Ａと、シート１２２Ｂと、１段ドームスイッチ１２３と、２段ドームスイッチ１２４と、基板１２５と、ベース１２６とがこの順で接続されて構成されている。
【０１０６】
磁性回転体１９２は、回転操作体１１４の裏面の円形溝１１４ａに嵌合されて．一体化される。磁性回転体１９２の外周に設けられた凸部１９２ａは、回転操作体１１４の凹部１１４ｂに嵌合し、これによって回転操作体１１４と磁性回転体１９２が一体となって回転動作する。
【０１０７】
ホルダ１１９には、摺動リング１９４が当接され、さらにホルダ連結板１２０が搭載される。このホルダ連結板１２０の係止孔１２０ａには、ホルダ１１９の係止突起１１９ａが挿通されて係止される。このホルダ１１９は、実施例１のホルダ１９と同じく軟性材料により形成されている。
【０１０８】
ホルダ１１９には、回転操作体１１４が回転可能に搭載され、この回転操作体１１４を挟むようにしてカバー体１９１が装着される。カバー体１９１の下面に設けられた係止突起１９１ａは、ホルダ１１９に設けられた係止溝１１９ｂに非回転に係止される。
【０１０９】
カバー体１９１の中央に設けられた孔１９１ｂには、押子１２１が挿通され、該押子１２１の先端が上方へ突出する。ここまでのカバー体１９１、回転操作体１１４、磁性回転体１９２、ホルダ連結板１２０、摺動リング１９４、ホルダ１１９、および押子１２１により、操作側ユニットＵ１０１が形成される。
【０１１０】
ベース１２６の上面には、基板１２５が搭載される。この基板１２５には、実施例１と異なり、ホール素子１９９が２つ設けられている。この基板１２５に１段ドームスイッチ１２３および２段ドームスイッチ１２４が搭載されて、シート１２２Ａ，１２２Ｂで被覆される。ここまでのベース１２６、基板１２５、１段ドームスイッチ１２３、２段ドームスイッチ１２４、およびシート１２２Ａ，１２２Ｂにより、検知側ユニットＵ１０２が形成される。
【０１１１】
この検知側ユニットＵ１０２には、ベース１２６に設けられた昇降ガイド片１２６ａにホルダ１１９の保持片１１９ｃが取り付けられて、操作側ユニットＵ１０１が傾動可能に装着され、図１４の斜視図に示すように操作スイッチ１１０が完成する。
【０１１２】
このように構成された操作スイッチ１１０の詳細な構成および動作は実施例１と同様であり、回転操作体１１４の回転検知の方法だけが異なっている。すなわち、回転操作体１１４が回転操作されると、磁性回転体１９２も同時に回転する。この磁性回転体１９２は、磁性がＮＳ交互に入れ替わる構成となっているため、この磁性の入れ替わりを２つのホール素子１９９により検出する。これにより、回転方向や回転速度を検出できるようになっている。
【０１１３】
１段ドームスイッチ１２３および２段ドームスイッチ１２４を含めて、その他の構成は実施例１と同様であるので、詳細な説明を省略する。  
このように構成した場合でも、実施例１と同一の効果を得ることができる。
【実施例５】
【０１１４】
次に、実施例４で説明したホルダ１１９の変形例について説明する。  
図１５は、実施例５のホルダ１１９Ａを示す正面図である。  
図示するように、ホルダ１１９Ａには、９０度毎に均等配置された押下突起１５０のそれぞれの間に、溝孔１４１ａが設けられている。この溝孔１４１ａは、押下突起１５０の側方位置から半径方向外側へ伸びて外周へ突き抜ける形状に形成されている。ホルダ１１９Ａは、実施例４と異なり、合成樹脂性の材料で形成されている。その他の構成は、実施例４と同一であるので、その詳細な説明を省略する。
【０１１５】
このように構成した場合も、実施例４と同一の効果を得ることができる。ホルダ１１９Ａは実施例４よりも硬い材料で構成されているが、押下操作されて１つの押下突起１５０が沈み込む際の力は、溝孔１４１ａにより分断され、隣の押下突起１５０が連動して沈み込むことを防止できる。
【実施例６】
【０１１６】
また実施例６として、実施例４のホルダ１１９を図１６の正面図に示すホルダ１１９Ｂとしてもよい。  
このホルダ１１９Ｂも、実施例５と同様、合成樹脂性の材料で形成され、９０度毎に均等配置された押下突起１５０のそれぞれの間に、溝孔１４１ｂが設けられている。この溝孔１４１ｂは、押下突起５０の側方位置から外周へ向かって半径方向へ伸びているが、外周までは突き抜けない形状に形成されている。  
この場合も実施例５と同一の効果が得られる。
【実施例７】
【０１１７】
上述した各実施例は、ローパスフィルタ８１により衝撃による信号を排除する構成にしたが、緩衝材Ｋによって衝撃による信号を排除する構成にしてもよい。  
図１７（Ａ）は２段ドームスイッチ２４と周辺固定接点６１（６１ａ，６１ｂ，６１ｃ）の周辺を示す一部断面拡大斜視図である。
【０１１８】
２段ドームスイッチ２４の第１接点２４ｃと第１接点６１ｃとの間には、コ字型の緩衝材Ｋが挟まれた状態となって、図１７（Ｂ）に示すように取り付けられる。
【０１１９】
図１７（Ｃ）のＣ−Ｃ矢視断面図に示すように、緩衝材Ｋは、第１接点２４ｃと第１接点６１ｃの隙間に挟まっており、コ字型の２本の足部Ｋａが第１接点２４ｃに接触している。
【０１２０】
緩衝材Ｋは、低反発発泡ウレタンや、通常やわらかく衝撃を受けると硬化する「ｄ３ｏ」と呼ばれる素材で構成するなど、連続的な負荷に対して柔軟に変形し瞬間的な負荷に対して変形しない素材により形成されている。
【０１２１】
その他の構成は、上述した各実施例と同一であるので、その詳細な説明を省略する。
【０１２２】
このように構成した場合でも、上述した各実施例と同一の効果が得られ、衝撃による信号を検知対象から排除することができる。  
すなわち、衝撃が付与されて第１接点２４ｃが第１接点６１ｃに高速に接触しようとしても、緩衝材Ｋが変形しないため、第１接点２４ｃは第１接点６１ｃに接触せず信号が出力されなくなる。  
利用者が押下操作した場合には、ゆっくりとした押下力が連続的に付与されるため、緩衝材Ｋが変形し、両足部Ｋａの間位置で第１接点２４ｃが第１接点６１ｃに接触し、信号が出力される。
【実施例８】
【０１２３】
図１８は、実施例８の操作スイッチ１０Ａを下方から見た分解斜視図を示す。  
この操作スイッチ１０Ａは、ドームスイッチユニット５８Ａに、実施例１で説明したシート２２の代わりに、接着カバーフィルム２２Ａとスペーサ２２Ｂが設けられている。  
この接着カバーフィルム２２Ａとスペーサ２２Ｂ以外の構成は、実施例１と同一であるため、同一要素に同一符号を付して、その詳細な説明を省略する。
【０１２４】
図１９は、接着カバーフィルム２２Ａ、スペーサ２２Ｂ、１段ドームスイッチ２３、および２段ドームスイッチ２４の拡大分解斜視図である。  
接着カバーフィルム２２Ａは、カバーフィルム層２２Ａ１と接着層２２Ａ２の２層構造に形成されている。
【０１２５】
カバーフィルム層２２Ａ１は、ＰＥＴフィルムで形成されている。このカバーフィルム層２２Ａ１は、退避口６４Ａ，６６Ａといった接続用の孔が設けられており、それ以外の部分を全体的に被覆するシートである。
【０１２６】
接着層２２Ａ２は、両面テープ、あるいはカバーフィルム層２２Ａ１に印刷技術によって塗布された糊層により形成されている。この接着層２２Ａ２は、周辺シート部２０１に、退避口６４Ａ，６６Ａといった接続用の孔が設けられるとともに、変位性向上孔２０３が設けられて構成されている。この変位性向上孔２０３は、２段ドームスイッチ２４の各第１接点２４ｃの対向位置にそれぞれ設けられている。変位性向上孔２０３は、円弧と直線からなる略Ｄ型の形状であり、直線部分が内側に、円弧部分が外側になるように２つ並列配置されている。
【０１２７】
また、２つの変位性向上孔２０３の間には、接着層２２Ａ２の接点接着部２０２が設けられている。この接点接着部２０２は、長方形板が厚み方向へ湾曲した形状であり、略円形となる周辺スイッチＳ２の中心（２段ドームスイッチ２４の頂点の対向位置）を通って該周辺スイッチＳ２の外周一端から他端までを橋渡しするような状態に形成されている。このため、周辺スイッチＳ２の接点接着部２０２の両横に変位性向上孔２０３が位置する構成となる。
【０１２８】
この構成により、接点接着部２０２が周辺シート部２０１に繋がる両端部は、２段ドームスイッチ２４のコモン接点２４ｂの対向位置となる。また、接点接着部２０２の両横に位置する各変位性向上孔２０３は、２段ドームスイッチ２４の第１接点２４ｃの対向位置となる。
【０１２９】
スペーサ２２Ｂは、周辺シート部２５１に、退避口６４Ｂ，６６Ｂといった接続用の孔と、１段ドームスイッチ孔２５２と２段ドームスイッチ孔２５３とが設けられている。
【０１３０】
１段ドームスイッチ孔２５２は、１段ドームスイッチ２３より若干大きい形状である。２段ドームスイッチ孔２５３は、２段ドームスイッチ２４より若干大きい形状である。
【０１３１】
４つの２段ドームスイッチ孔２５３は、２つずつのペアとなってそれぞれのペアが連通孔２６１により連通されている。そして、１段ドームスイッチ孔２５２と連通孔２６１は、連通孔２６２により連通されている。
【０１３２】
この連通孔２６１、２６２により、スイッチを押下したときに空気の流れる道（エアパス）ができ、１段ドームスイッチ孔２５２と２段ドームスイッチ孔２５３の押下動作をスムーズに実行することができる。
【０１３３】
このように構成された操作スイッチ１０Ａのドームスイッチユニット５８Ａにおいて、接着層２２Ａ２は、図２０（Ａ）の平面図にハッチングで示すように、周辺スイッチＳ２の周囲全体にわたってスペーサ２２Ｂに接着されるとともに、２段ドームスイッチ２４のコモン接点２４ｂから中央までに接着される。  
２段ドームスイッチ２４の第１接点２４ｃの対向位置には変位性向上孔２０３が設けられているため、接着層２２Ａ２は、第１接点２４ｃに接着されない。これにより、第１接点２４ｃが自由に動作でき、２段ドームスイッチ２４による２段階の押下操作の検出を精度よく行うことができる。
【０１３４】
図２０（Ｂ）のＤ−Ｄ矢視Ｅ−Ｅ部分拡大端面図に示すように、２段ドームスイッチ２４は、第１接点２４ｃが変位性向上孔２０３により接着されずに自由に動作できるため、微小な変位を正確に実行して押下検知することができ、また押下解除されても容易に復帰することができる。
【０１３５】
周辺スイッチＳ２における２段ドームスイッチ２４の周囲は、カバーフィルム層２２Ａ１によって被覆され、さらに接着層２２Ａ２の周辺シート部２０１によって接着されているため、防塵機能を発揮することができる。すなわち、２段ドームスイッチ２４は、周囲にスペーサ２２Ｂが存在し、上下がカバーフィルム層２２Ａ１と基板２５で挟まれている状態である。そして、基板２５の上面とスペーサ２２Ｂの下面が完全に接着されていることで、下面から防塵が浸入することがない。また、スペーサ２２Ｂの上面とカバーフィルム層２２Ａ１の下面が完全に接着されていることで、上面から防塵が浸入することもない。
【０１３６】
さらに、スペーサ２２Ｂおよび連通孔２６１，２６２の存在により、１つの２段ドームスイッチ２４が押下されたとき、連通孔２６１，２６２から空気が移動して他の２段ドームスイッチ２４の周囲にまで入れるため、気圧により押下操作が妨げられるといったことを防止できる。
【０１３７】
このように、接着カバーフィルム２２Ａでドームスイッチ２３，２４を被覆してその接着層２２Ａ２により隙間無く周囲を接着して防塵機能を高め、かつ、接着層２２Ａ２にのみ変位性向上孔２０３を設けることで２段ドームスイッチ２４の微小なＯＮ／ＯＦＦ検知の安定動作を実現することができる。
【実施例９】
【０１３８】
図２１は、実施例９の操作スイッチ１０Ａの接着構造の説明図を示す。図２１（Ａ）は、ドームスイッチユニット５８Ａの平面図を示し、図２１（Ｂ）は、Ｆ−Ｆ矢視Ｇ−Ｇ部分拡大端面図を示す。  
この実施例９は、接着層２２Ａ２以外は実施例８と同一であるため、その詳細な説明を省略する。
【０１３９】
接着層２２Ａ２は、実施例９での接点接着部２０２が、略円形の接点接着部２０７に変わっている。そして、その接点接着部２０７の周囲に、変位性向上孔２０３の代わりとなる変位性向上孔２０８が設けられている。その他の構成は実施例９と同一であるため、その詳細な説明を省略する。
【０１４０】
この場合も、実施例９と同一の効果を奏することができる。すなわち、２段ドームスイッチ２４の第１接点２４ｃの周辺には変位性向上孔２０８が存在しているため、接着により第１接点２４ｃの動作が妨げられることがなく、良好な押下検知を行うことができる。また、周囲が隙間無く完全に接着されているため、高い防塵性能を得ることができ、防塵による性能低下を防止することができる。
【実施例１０】
【０１４１】
図２２は、上述した各実施例における基板２５，１２５の回路構成を工夫した実施例１０の説明図である。この実施例１０における基板以外の構成要素は、上述した各実施例と同一のものを採用できるため、その詳細な説明を省略する。
【０１４２】
図２２（Ａ）は、基板３２５の平面図を示す。この基板３２５は、プリント配線基板であり、中央部に中央固定接点３６０（３６０ａ，３６０ｂ）を有し、その周辺の４方に周辺固定接点３６１（３６１ａ，３６１ｃ）を有している。さらに、周辺固定接点３６１と重ならない周方向には、共通固定接点３５９ａと第１固定接点３５９ｂと第２固定接点３５９ｃとが３等分して備えられている。
【０１４３】
このように構成された基板３２５は、１個の中央固定接点３６０に対応させて１段ドームスイッチ２３（実施例１の図３参照）を搭載し、４個の周辺固定接点３６１に対応させて２段ドームスイッチ２４（実施例１の図３参照）を搭載し、これらの上面をシート２２（実施例１の図３参照）で覆って基板３２５の定位置にドームスイッチ２３，２４（実施例１の図３参照）が動かないように貼り付けている。これにより、押子２１（実施例１の図３参照）が押下される押下位置に対応して設置される中央スイッチＳ１（実施例１の図３参照）と、回転操作体１４（実施例１の図３参照）が押下される各押下位置に対応して設置される４個の周辺スイッチＳ２（実施例１の図３参照）が構成される。
【０１４４】
図２２（Ｂ）は、周辺固定接点３６１の形状と回路構成を示す説明図である。  
周辺固定接点３６１は、中央に第２接点３６１ａが設けられており、その外側に２つの第１接点３６１ｃが第２接点３６１ａを中心にして対称（図示左右対称）に配置されている。また、第２接点３６１ａを中心にして第１接点３６１ｃと９０度異なる位置に、２つの支持受け部３６１ｂが設けられている。この２つの支持受け部３６１ｂは、第２接点３６１ａを中心にして対称（図示上下対称）に配置されている。従って、第２接点３６１ａを中心にして、支持受け部３６１ｂおよび第１接点３６１ｃが４方に配置されている。
【０１４５】
２つの支持受け部３６１ｂには、２段ドームスイッチ２４のコモン接点２４ｂが載置される。この支持受け部３６１ｂは、図示するようにどの回路にも接続されておらず、通電しない構成となっている。このため、２段ドームスイッチ２４のコモン接点２４ｂは、２段ドームスイッチ２４の位置および高さを定める（あるいは姿勢を定める）支持部として機能する。
【０１４６】
２つの第１接点３６１ｃには、２段ドームスイッチ２４の第１接点２４ｃが近接配置される。この２つの第１接点３６１ｃと２つの第１接点２４ｃとのそれぞれの間は、２段ドームスイッチ２４のコモン接点２４ｂが支持受け部３６１ｂに正しい姿勢で載置されていると、ほぼ均等に離間する状態となる。これは、２段ドームスイッチ２４が、２つの第１接点２４ｃよりも２つのコモン接点２４ｂが下方へ突出するように構成されており、１つの平面上に２段ドームスイッチ２４が置かれると、２つのコモン接点２４ｂが接地して２つの第１接点２４ｃが離間する構成となっていることによるものである。
【０１４７】
第２接点３６１ａは、第２接点２４ａに対して十分に離間して対向している。この第２接点３６１ａと第２接点２４ａとの離間距離は、第１接点３６１ｃと第１接点２４ｃとの離間距離よりも広く構成されている。
【０１４８】
そして、基板３２５（図２２（Ａ）参照）には、第１接点回路Ｋ１と第２接点回路Ｋ２とが設けられている。第１接点回路Ｋ１は、２つの第１接点３６１ｃに繋がる回路である。この第１接点回路Ｋ１は、２つの第１接点３６１ｃのそれぞれに、２段ドームスイッチ２４の２つの第１接点２４ｃが接触している状態になると、金属製の２段ドームスイッチ２４に通電してスイッチＯＮの状態となり、第１検知の検知ができる。従って、１つの第１接点３６１ｃに２段ドームスイッチ２４の２つの第１接点２４ｃが接触しても、他方が離間している以上は通電せず、スイッチＯＦＦのままとなる。
【０１４９】
第２接点回路Ｋ２は、２段ドームスイッチ２４の第１接点２４ｃと第２接点２４ａに繋がる回路である。この第２接点回路Ｋ２は、２段ドームスイッチ２４の中心が強く押下されて第２接点２４ａが第２接点３６１ａに接触すると、すでに第１接点３６１ｃに２段ドームスイッチ２４の２つの第１接点２４ｃが接触していることから、金属製の２段ドームスイッチ２４の第１接点２４ｃと第２接点２４ａとの間で通電する。この通電によってスイッチＯＮの状態となり、第２検知の検知ができる。
【０１５０】
以上の構成および動作により、製造時のバラツキによる不具合を防止でき、歩留まりを向上させることができる。すなわち、第１接点回路Ｋ１は、２段ドームスイッチ２４の２つの第１接点２４ｃが両方ともそれぞれの第１接点３６１ｃに接触しているときに初めてスイッチＯＮとなって第１検知を行うため、製造時のばらつきで１つの第１接点２４ｃが第１接点３６１ｃに常時接触している状態となっても、問題なくスイッチＯＮ／ＯＦＦを検知することができる。特に、実施例１のシート２２に両面テープ等で２段ドームスイッチ２４を接着して配置を定める場合、接着のズレ等によって２段ドームスイッチ２４が傾くことがあるが、このような場合でも問題なく動作できる。従って、良好に動作するドームスイッチユニットを容易に作製することができる。また、歩留まりが良いために低価格で大量に提供することができる。
【０１５１】
また、２段ドームスイッチ２４は、第１接点２４ｃよりも支持部としてのコモン接点２４ｂが下方へ突出しているため、製造時のばらつきによって２つの第１接点２４ｃが両方とも第１接点３６１ｃに接触したままの状態になってしまうことを防止できる。すなわち、コモン接点２４ｂが支持部として２段ドームスイッチ２４の高さを保持し、第１接点２４ｃを第１接点３６１ｃから離間させるために、精度よい第１検知を確実に実行できるドームスイッチユニットを容易に提供することができる。
【０１５２】
また、第２接点回路Ｋ２は、２段ドームスイッチ２４の第２接点２４ａが第２接点３６１ａに接触し、かつ第１接点２４ｃが第１接点３６１ｃに接触している場合にスイッチＯＮとなって第２検知する構成であるため、第２検知を確実に実行することができる。特に、両方の第１接点３６１ｃに第２接点回路Ｋ２が繋がっているため、第１接点２４ｃがどちらか１つでも第１接点３６１ｃに接触していれば第２検知を実行できる。
【０１５３】
このようにして、少ない部品点数で押圧強度の異なる２段階の検知を精度よく確実に実行できるスイッチユニットを提供することができる。  
また、２段ドームスイッチ２４の加工精度とシート２２（実施例１の図３参照）の貼り付け精度に対する要求をゆるやかにでき、製造を容易化することができる。
【実施例１１】
【０１５４】
図２３は、形状の異なる２段ドームスイッチ４２４を用いた実施例１１の説明図である。  
図２３（Ａ）は、２段ドームスイッチ４２４の平面図を示し、図２３（Ｂ）は、図２３（Ａ）のＢ−Ｂ部分拡大Ａ−Ａ断面図を示す。
【０１５５】
２段ドームスイッチ４２４は、リング状の支持部４２４ｂと、円形で中央が凸となるように湾曲している本体部４２５とが２つのアーム部４２６で接続されて構成されている。
【０１５６】
リング状の支持部４２４ｂは、図２３（Ｂ）に示すように、底面全体が平面上に接触する。
【０１５７】
アーム部４２６は、支持部４２４ｂから上方へ立ち上がって内側へ屈曲する逆Ｌ字の断面を有し、本体部４２５近傍位置に下方へ凸となる第１接点４２４ｃが設けられている。
【０１５８】
本体部４２５は、逆皿型に形成されており、下面中央に下方へ凸となる第２接点４２４ａが設けられている。
【０１５９】
図２３（Ｃ）は、周辺固定接点４６１の形状と回路構成を示す説明図である。この実施例１１の周辺固定接点４６１は、実施例１０の周辺固定接点３６１から支持受け部３６１ｂが除かれた形状である。すなわち、第２接点４６１ａは、実施例１０の第２接点３６１ａと同一であり、第１接点４６１ｃは、実施例１０の第１接点３６１ｃと同一である。
【０１６０】
周辺固定接点４６１の第２接点３６１ａおよび第１接点４６１ｃ以外の表面は絶縁部材で覆われており、その上に２段ドームスイッチ４２４が載置されている。２段ドームスイッチ４２４の第１接点４２４ｃは、第１接点４６１ｃに対向して近接配置されており、第２接点４２４ａは、第２接点４６１ａに対向して配置されている。
【０１６１】
第１接点回路Ｋ１は、実施例１０と同様に、２つの第１接点３６１ｃに繋がる回路である。また、第２接点回路Ｋ２は、実施例１０と同様に、２段ドームスイッチ４２４の第１接点４２４ｃと第２接点４２４ａに繋がる回路である。
【０１６２】
周辺固定接点４６１の中央が押下されると、まず２つの第１接点４２４ｃが第１接点４６１ｃに接触し、第１接点回路Ｋ１がスイッチＯＮとなる。さらに周辺固定接点４６１の中央が押下されると、第２接点４２４ａが第２接点４６１ａに接触し、既に第１接点４２４ｃが第１接点４６１ｃに接触していることによって第２接点回路Ｋ２がスイッチＯＮとなる。
【０１６３】
以上の構成により、製造時のバラツキによる不良品の発生を抑制することができ、押圧力の異なる２段階の検知を精度よく実行でき、実施例１０と同一の効果を得ることができる。
【０１６４】
この発明の構成と、上述の実施形態との対応において、
この発明の携帯端末は、実施形態のデジタルカメラ１に対応し、
以下同様に、
出力手段は、表示器２に対応し、
操作体は、回転操作体１４，１１４に対応し、
回転スイッチは、エンコーダ用可動接点板１５、共通導電片１６、第１導電片１７、および第２導電片１８により構成される接触式の回転検出部、または磁性回転体１９２とホール素子１９９で構成される非接触式の回転検出部に対応し、
ドームスイッチは、２段ドームスイッチ２４，１２４に対応し、
ドーム形状部は、２段ドームスイッチ２４，１２４の湾曲部分に対応し、
側方接触部および第１検知部は、第１接点２４ｃに対応し、
頂点裏側接触部および第２検知部は、第２接点２４ａに対応し、
連動防止手段は、押下突起５０，１５０の間部分、または溝孔４１ａ，４１ｂ，１４１ａ，１４１ｂに対応し、
ドームスイッチの対応部位は、押下突起５０，１５０に対応し、
変形許容部は、押下突起５０，１５０の間部分に対応し、
電気回路は、ローパスフィルタ８１に対応し、
瞬間押下検知排除手段は、ローパスフィルタ８１または緩衝材Ｋに対応し、
制御手段は、制御部８２に対応し、
被覆シートは、カバーフィルム層２２Ａ１に対応し、
接着部は、接着層２２Ａ２に対応し、
スペーサシートは、スペーサ２２Ｂに対応し、
ドームスイッチの頂点部と対向する部分は、接点接着部２０２の中心部または接点接着部２０７に対応し、
第１検知部との対向部分は、変位性向上孔２０３，２０８に対応し、
孔の周囲部は、周辺シート部２５１に対応し、
ドームスイッチが収納される孔は、２段ドームスイッチ孔２５３
に対応し、
接点は、第２接点３６１ａ、第１接点３６１ｃ、第２接点４２４ａ、および第１接点４２４ｃに対応し、
支持部は、支持部４２４ｂおよびコモン接点２４ｂに対応し、
回路は、第１接点回路Ｋ１および第２接点回路Ｋ２に対応し、
介在体は、緩衝材Ｋに対応し、
押下部位は、矢印Ｙ１ａ〜Ｙ１ｄの対応部位に対応し、
変形許容素材は、ＰＯＭ樹脂、ＡＢＳ樹脂、またはこれらの混合樹脂に対応し、
連続的な負荷に対して柔軟に変形し瞬間的な負荷に対して変形しない素材は、低反発発泡ウレタン、または、通常やわらかく衝撃を受けると硬化する「ｄ３ｏ」と呼ばれる素材に対応し、
所定時間は、１μｓに対応するが、
この発明は、上述の実施形態の構成のみに限定されるものではなく、多くの実施の形態を得ることができる。
【産業上の利用可能性】
【０１６５】
この発明は、携帯電話機やＰＤＡやデジタルカメラなど、適宜の装置の操作入力手段として用いることができる。
【符号の説明】
【０１６６】
１…デジタルカメラ、２…表示器、１０，１１０…操作スイッチ、１４，１１４…回転操作体、１５…エンコーダ用可動接点板、１６…共通導電片、１７…第１導電片、１８…第２導電片、１９，１９Ａ，１９Ｂ，１１９，１１９ＳＡ，１１９Ｂ…ホルダ、２４，１２４…２段ドームスイッチ、２４ａ…第２接点、２４ｂ…コモン接点、２４ｃ…第１接点、４１ａ，４１ｂ，１４１ａ，１４１ｂ…溝孔、５０，１５０…押下突起、８１…ローパスフィルタ、１９２…磁性回転体、１９９…ホール素子、Ｋ…緩衝材、２２Ａ１…カバーフィルム層、２２Ａ２…接着層、２２Ｂ…スペーサ、２０２，２０７…接点接着部、２０３，２０８…変位性向上孔、２５１…周辺シート部、２５３…２段ドームスイッチ孔、３６１ａ…第２接点、３６１ｃ…第１接点、４２４ａ…第２接点、４２４ｂ…支持部、４２４ｃ…第１接点、Ｋ１…第１接点回路、Ｋ２…第２接点回路
【図１】
2011146358.tif 000003
【図２】
2011146358.tif 000004
【図３】
2011146358.tif 000005
【図４】
2011146358.tif 000006
【図５】
2011146358.tif 000007
【図６】
2011146358.tif 000008
【図７】
2011146358.tif 000009
【図８】
2011146358.tif 000010
【図９】
2011146358.tif 000011
【図１０】
2011146358.tif 000012
【図１１】
2011146358.tif 000013
【図１２】
2011146358.tif 000014
【図１３】
2011146358.tif 000015
【図１４】
2011146358.tif 000016
【図１５】
2011146358.tif 000017
【図１６】
2011146358.tif 000018
【図１７】
2011146358.tif 000019
【図１８】
2011146358.tif 000020
【図１９】
2011146358.tif 000021
【図２０】
2011146358.tif 000022
【図２１】
2011146358.tif 000023
【図２２】
2011146358.tif 000024
【図２３】
2011146358.tif 000025